(57)【要約】【課題】内蔵地図／地点データベースと電話帳と無線通信の機能を結合することにより、ユーザーに使用時の最大の便利さを提供できる移動通信装置を提供する。【解決手段】本発明は、内蔵地図／地点データベースと電話帳と無線通信を結合する移動通信装置、及びその応用方法に関し、特に、従来技術において、機能不足を解決するため、内蔵地図／地点データベースや電話帳と無線通信を結合する機能を有し、ユーザーが探す地点情報を携帯電話に表示することや、無線通信技術を用いて他の携帯電話に転送することにより、データ探し及び情報共用の目的を達成する移動通信装置に関する。【選択図】図１
2006186996.tif 000002
【特許請求の範囲】
【請求項１】
データ表示インターフェースを表示するステップと、
サーチデータを受信するステップと、
地図／地点データ検索エンジンユニットをコールして、当該サーチデータで当該地図／地点データベースを検索するステップと、
検索結果を回送してマンマシンデータ処理インターフェースユニットに表示するステップと、
当該マンマシンデータ処理インターフェースユニットによりユーザーの指示した指令処理動作を実行するステップとを含むことを特徴とする地図／地点データベースを内蔵する移動通信装置の応用方法。
【請求項２】
前記データ表示インターフェースは電話帳インターフェース或いは地図表示インターフェースであることを特徴とする請求項１に記載の地図／地点データベースを内蔵する移動通信装置の応用方法。
【請求項３】
前記サーチ終了信号を受信したかを判断するステップにおいて、判断結果がＹＥＳであれば、今回のサーチ動作を終了し、そうでなければ、判断結果がＮＯであれば、当該サーチデータを受信するステップに戻ることを特徴とする請求項１或いは２に記載の地図／地点データベースを内蔵する移動通信装置の応用方法。
【請求項４】
前記地図／地点データ検索エンジンユニットは電子地図エンジン及び地点情報エンジンを含むことを特徴とする請求項１或いは２に記載の地図／地点データベースを内蔵する移動通信装置の応用方法。
【請求項５】
前記指令処理動作は、当該検索結果の文字や地点情報を個人電話帳にインポートすること、当該文字や当該地点情報をダイヤルアップユニットに伝送してダイヤルアップすること、無線伝送方式で当該検索結果を他の移動通信装置に伝送すること、及びその組み合わせを含むことを特徴とする請求項１に記載の地図／地点データベースを内蔵する移動通信装置の応用方法。
【請求項６】
前記無線伝送方式は、ショートメッセージサービス／マルチメディア情報サービス（ＳＭＳ／ＭＭＳ）、赤外線通信、ブルートゥース或いはワイヤレスＬＡＮの方式であることを特徴とする請求項５に記載の地図／地点データベースを内蔵する移動通信装置の応用方法。
【請求項７】
前記地図／地点データベースを内蔵する移動通信装置において、
無線通信を介して地点情報を受信するステップと、
当該地点情報の文字を表示するステップと、
当該地点情報を当該地図／地点データベース内にインポートするかを判断し、判断結果がＹＥＳであれば、当該地点情報を当該地図／地点データベース内にインポートすることを特徴とする地図／地点データベースの受信方法。
【請求項８】
前記無線通信は、ショートメッセージサービス／マルチメディア情報サービス（ＳＭＳ／ＭＭＳ）、赤外線通信、ブルートゥース或いはワイヤレスＬＡＮであることを特徴とする請求項７に記載の地図／地点データベースの受信方法。
【請求項９】
更に、当該地点情報に写真情報が包含されるかを判断し、判断結果がＹＥＳであれば、当該写真情報を表示するステップを含むことを特徴とする請求項７に記載の地図／地点データベースの受信方法。
【請求項１０】
地図／地点データベースと、
サーチデータを入力するダイヤルアップユニットと、
当該サーチデータを受信して当該地図／地点データベースをサーチする地図／地点データ検索エンジンユニットと、
当該地図／地点データ検索エンジンユニットに接続され、サーチ結果を表示するマンマシンデータ処理インターフェースユニットと、
を含むことを特徴とする地図／地点データベースを内蔵する移動通信装置。
【請求項１１】
更に、当該地図／地点データ検索エンジンユニットに接続される無線伝送インターフェースユニットを含むことを特徴とする請求項１０に記載の地図／地点データベースを内蔵する移動通信装置。
【請求項１２】
前記マンマシンデータ処理インターフェースユニットは、地図表示インターフェース、地点情報サーチインターフェース及び電話帳インターフェースを含むことを特徴とする請求項１０に記載の地図／地点データベースを内蔵する移動通信装置。
【発明の詳細な説明】
【技術分野】
【０００１】
本発明は、地図／地点データベースを内蔵する移動通信装置、及びその応用方法に関し、特に、内蔵地図／地点データベースと電話帳と無線通信を結合し、ユーザーに利便性を提供する地図／地点データベースを内蔵する移動通信装置、及びその応用方法に関する。
【背景技術】
【０００２】
現在においては、ある店舗や地点、または機関等の電話番号を探す時、電話帳を調べるか、オンラインで調べるか、電話案内に問い合わせるかを行い、その結果を、手書き或いは記憶し、電話番号を掛けることができる。
【０００３】
携帯電話は、現代の人々にとって不可欠な物であり、また、今の携帯電話の付加価値は高いものである。例えば、ＧＰＳモジュールを組み合わせることにより、ユーザーは、リアルタイムに且つ継続的にそして自動的に所在地座標のディジタルデータを更新でき、或いは、無線ネットワーク伝送インターフェースにより、携帯電話同士間のデータ伝送ができる。
【０００４】
従来技術において、例えば、特許文献１（中華民国特許公告第２００４０６５９２号）に記載される「位置付け機能を結合する移動通信装置及びそのリアルタイムに位置付け情報を表示する方法」は、携帯電話に外付けでＧＰＳ通信モジュールを接続することにより、携帯電話のディスプレイに直接、ＧＰＳ測位システムの表示がなされる。また、移動通信事業者と提携することにより、携帯電話所在地の電子地図が取得でき、その電子地図が携帯電話のディスプレイに表示される。
【０００５】
また、特許文献２（中華民国特許公告第５３５１１５号）に記載される「無線移動通信装置」は、無線移動通信装置であり、一人や一台の車の位置から、走行中や停止している一台の車と所定のデータを交換することにより、より離れた位置に位置する各車の所定通信を調べ合わせる。
【０００６】
更に、例えば、特許文献３（中華民国特許公告第１２２０７２０号）に記載される「簡易な地図及びデータ検索システム」は、階層式メニューを有する簡易地図及びデータ検索システムであり、ユーザーが各層やジャンプの方式でサーチしてその検索の目的を達成でき、これにより、操作インターフェースの複雑度が大幅に低減され、そして地図やデータ検索に必要とする時間も短縮される。
【０００７】
しかしながら、上記の従来の特許文献に記載されるものは、それぞれにメリットや特色があるが、その効果は、ユーザーとして、十分とは言えない。
【特許文献１】中華民国特許公告第２００４０６５９２号公報
【特許文献２】中華民国特許公告第５３５１１５号公報
【特許文献３】中華民国特許公告第１２２０７２０号公報
【発明の開示】
【発明が解決しようとする課題】
【０００８】
本発明は、上記の従来技術ではユーザーが満足できる便利さを提供できないことを解消するため、移動通信装置が最大の効率を発揮でき且つユーザーに最大の利便性を提供できる「地図／地点データベースを内蔵する移動通信装置、及びその応用方法」を提供することを課題とする。
【課題を解決するための手段】
【０００９】
本発明の主な目的は、内蔵地図／地点データベースと電話帳と無線通信の機能を結合することにより、ユーザーに使用時の最大の利便性を提供できる移動通信装置を提供することである。
【００１０】
本発明は、上記の目的を達成するため、地図表示インターフェースを表示するステップと、サーチデータを受信するステップと、地図／地点データ検索エンジンユニットをコールして当該サーチデータで当該地図／地点データベースを検索するステップと、検索結果を回送しそれをマンマシンデータ処理インターフェースユニットに表示するステップと、当該マンマシンデータ処理インターフェースユニットによりユーザーの指示した指令処理動作を実行するステップとを含む内蔵地図／地点データベースと電話帳と無線通信を結合する移動通信装置の応用方法を提供する。
【００１１】
また、本発明は、地図／地点データベースと、サーチデータを受信して当該地図／地点データベースをサーチする地図／地点データ検索エンジンユニットと、当該地図／地点データ検索エンジンユニットに接続されサーチ結果を表示するマンマシンデータ処理インターフェースユニットとを備える内蔵地図／地点データベースと電話帳と無線通信を結合する移動通信装置を提供する。
【発明を実施するための最良の形態】
【００１２】
明細書と図面により、本発明に係わる既定の目的を達成するための技術や方法及び効果を詳しく説明するが、付録する図面は、参考や説明のためのものであり、本発明は、それによって制限されるものではない。
【００１３】
図１は、本発明の移動通信装置の内部構成図である。本発明の移動通信装置は、携帯電話やＰＤＡに適用され、その内部構成は、地図／地点データベース１０、地図／地点データ検索エンジンユニット１２、マンマシンデータ処理インターフェースユニット１４、無線伝送インターフェースユニット１６及びダイヤルアップユニット２０を含む。
当該地図／地点データベース１０は、数値化地図空間ドットデータ及び地点情報内電話、住所、空間ドットデータ等を含む。当該地図／地点データ検索エンジンユニット１２は、当該地図／地点データベース１０に接続され、地点情報を探し、地図からのメッセージ、或いは地図を描くこと及び地点情報を検索すること等を処理する。
【００１４】
当該マンマシンデータ処理インターフェースユニット１４は、当該地図／地点データ検索エンジンユニット１２に接続される。当該マンマシンデータ処理インターフェースユニット１４は、地図表示インターフェースユニット１４０、地点情報サーチインターフェース１４２及び電話帳インターフェース１４４を含み、その中、当該地図表示インターフェースユニット１４０はユーザーブラウズ地図を提供し、当該地点情報サーチインターフェース１４２は、地点情報データの入力／出力に供し、当該電話帳インターフェース１４４には、名前、電話及び住所が記録される。当該無線伝送インターフェースユニット１６（例えば：ブルートゥースやＷｉ−Ｆｉ等）は、他の移動通信装置と接続することとデータ伝送をすることに供する。
当該ダイヤルアップユニット２０は、当該地図表示インターフェース１４０、当該地点情報サーチインターフェース１４２及び当該電話帳インターフェース１４４に接続され、入力することに供する。
【００１５】
図２は、本発明を応用する移動通信装置の概念図であり、それは、本発明の移動通信装置が他の移動通信装置と無線プロトコルで互いに接続するシステム構成であり、その中、本発明の移動通信装置は、地図／地点データベース１０、地図／地点データ検索エンジンユニット１２、マンマシンデータ処理インターフェースユニット１４、無線伝送インターフェースユニット１６及びダイヤルアップユニット２０を含む。
【００１６】
その中、当該地図／地点データベース１０は、数値化地図空間ドットデータ及び地点情報内電話、住所、空間ドットデータ等を含み、当該地図／地点データ検索エンジンユニット１２は、当該地図／地点データベース１０に接続され、地点情報を探し、地図のメッセージ、或いは地図を描くこと及び地点情報を検索すること等を処理する。
【００１７】
当該マンマシンデータ処理インターフェースユニット１４は、当該地図／地点データ検索エンジンユニット１２に接続され、当該マンマシンデータ処理インターフェースユニット１４は、地図表示インターフェースユニット１４０、地点情報サーチインターフェース１４２及び電話帳インターフェース１４４を含み、その中、当該地図／地点データ検索は、ユーザーに地図のブラウズを提供し、当該地点情報サーチインターフェース１４２は、地点情報データの入力／出力に供し、当該電話帳インターフェース１４４には、名前、電話及住所が記録される。当該ダイヤルアップユニット２０は、当該地図表示インターフェース１４０、当該地点情報サーチインターフェース１４２及び当該電話帳インターフェース１４４に接続される。
【００１８】
その中、当該他の移動通信装置は、携帯電話でもよく、また、当該他の携帯電話は、地図／地点データベースを内蔵する移動通信装置であってもいいし、地図／地点データベースを内蔵しない移動通信装置でもいい。
【００１９】
図３は、本発明の応用方法の流れ図であり、この応用方法の流れ図は、内蔵地図／地点データベースと電話帳と無線通信を結合する移動通信装置の応用方法の流れ図である。
まず、地図表示インターフェースを表示する（Ｓ１００）。そして、ユーザーがマンマシンデータ処理インターフェースユニット１４により入力したサーチデータを受信する（Ｓ１０２）。
【００２０】
サーチデータを受信すると地図／地点データ検索エンジンユニット１２をコールして、当該サーチデータで地図／地点データベース１０を検索する（Ｓ１０４）。尚、地図／地点データ検索エンジンユニット１２は、電子地図エンジンと地点情報エンジンを含み、地図／地点データベース１０は、電子地図と地点情報を含む。
【００２１】
次いで検索結果を回送してそれをマンマシンデータ処理インターフェースユニット１４に表示する（Ｓ１０６）。当該検索結果は、文字、地点情報、地図写真或いはその組み合わせである。
そして当該マンマシンデータ処理インターフェースユニット１４によりユーザーの指示した指令処理動作を実行する（Ｓ１０８）。尚、当該指令処理動作は、当該検索結果の文字や景勝地地点情報を個人電話帳にインポートすること、当該文字や当該地点情報をダイヤルアップユニットに伝送してダイヤルアップして無線伝送方式で当該検索結果を他の移動通信装置に伝送すること、或いはその組み合わせを含む。当該個人電話帳は、当該マンマシンデータ処理ユニットに包含され、当該無線伝送方式は、ショートメッセージサービス／マルチメディア情報サービス（ＳＭＳ／ＭＭＳ）、赤外線通信、ブルートゥース或いはワイヤレスＬＡＮの方式である。
【００２２】
そしてサーチ終了信号を受信したかを判断し（Ｓ１１０）、判断結果がＹＥＳであれば、今回のサーチ動作を終了し、そうでなければ、判断結果がＮＯである場合、当該サーチデータを受信するステップに戻る。
【００２３】
図４は、本発明の電話帳の応用方法の流れ図である。この電話帳の応用方法の流れでは、先ず電話帳インターフェースを駆動して（Ｓ２００）、マンマシンデータ処理インターフェースユニットによりユーザーの指示した指令処理動作であるサーチデータを受信する（Ｓ２０２）。
そして電子地図エンジンと地点情報エンジンを含む地図／地点データ検索エンジンユニットをコールして、当該サーチデータで電子地図と地点情報を含む地図／地点データベースを検索する（Ｓ２０４）。
【００２４】
次いで文字情報や地点情報、地図写真或いはその組み合わせである検索結果を回送して、当該マンマシンデータ処理インターフェースユニットに表示し（Ｓ２０６）、当該マンマシンデータ処理インターフェースユニットによりユーザーの指示した当該文字や当該地点情報を当該マンマシンデータ処理インターフェースユニット１４に包含される個人電話帳にインポートすること、当該文字や当該地点情報を当該移動通信装置に設置されるキーボードであるダイヤルアップユニットに伝送してダイヤルアップすること、ショートメッセージサービス／マルチメディア情報サービス（ＳＭＳ／ＭＭＳ）、赤外線通信、ブルートゥース或いはワイヤレスＬＡＮの方式である無線伝送インターフェースで当該検索結果を他の移動通信装置に伝送すること、或いはその組み合わせである指令処理動作を実行する（Ｓ２０８）。
【００２５】
そしてサーチ終了信号を受信したかを判断し（Ｓ２１０）、判断結果がＹＥＳであれば、今回のサーチ動作を終了し、そうでなければ、判断結果がＮＯである場合、当該電話帳インターフェースを駆動するステップに戻る。
【００２６】
図５は、本発明における地図／地点データベースを内蔵する移動通信装置に応用して地図／地点データベースを受信する方法の流れ図である。
先ず、ショートメッセージサービス／マルチメディア情報サービス（ＳＭＳ／ＭＭＳ）や赤外線通信、ブルートゥース或いはワイヤレスＬＡＮを介して地点情報を受信する（Ｓ３００）。
【００２７】
そして、受信した地点情報を、（電子地図と地点情報を含む）地図／地点データベース内にインポートするか判断し（Ｓ３０２）、自動的に地点情報のフォーマットがマッチするかを判断してＹＥＳであれば、地点情報を地図／地点データベースにインポートする。
或いは／及びユーザーがインポート指令を指示したかを判断して判断結果がＹＥＳであれば当該地点情報を地図／地点データベース内にインポートし、そうでなければ地点情報を地図／地点データベースにインポートしない（Ｓ３０４）。
【００２８】
そして、当該地点情報に写真情報が包含されるかを判断し（Ｓ３０６）、当該地点情報に写真情報が包含されるかを判断するステップにおいて、判断結果がＹＥＳであれば、写真閲覧プログラムが写真情報のフォーマットをサポートするか或いは／及びユーザーが閲覧指令を指示したかを判断することにより当該写真情報を閲覧するかを判断する（Ｓ３０８）。
【００２９】
そうでなければ、判断結果がＮＯであれば、内蔵する写真閲覧プログラムは次のステップを実行すること、或いはユーザーが手動で次の実行しようとするステップを選択する（この実施例においては、地図／地点データベースを受信するための流れを終了する）。
【００３０】
また、当該写真情報を閲覧するかを判断するステップにおいて、判断結果がＹＥＳであれば、写真閲覧プログラムをコールして当該写真情報を閲覧し（Ｓ３１０）、そうでなければ、判断結果がＮＯであれば、内蔵するプログラムは次のステップを実行すること、或いはユーザーが手動で次の実行しようとするステップを選択する（この実施例においては、地図／地点データベースを受信するための流れを終了する）。
【００３１】
図６は、本発明おいて地図／地点データベースを内蔵しない移動通信装置に応用して地図／地点データベースを受信する方法の流れ図である。まず、ショートメッセージサービス／マルチメディア情報サービス（ＳＭＳ／ＭＭＳ）や赤外線通信、ブルートゥース或いはワイヤレスＬＡＮを介して地点情報を受信し（Ｓ４００）、当該地点情報の文字を表示する（Ｓ４０２）。
【００３２】
そして当該地点情報に写真情報が包含されるかを判断し（Ｓ４０４）、当該地点情報に写真情報が包含されるかを判断するステップにおいて、判断結果がＹＥＳであれば、当該写真情報を閲覧するかを判断する（Ｓ４０６）。
そうでなければ、判断結果がＮＯであれば、内蔵するプログラムは次のステップを実行すること、或いはユーザーが手動で次の実行しようとするステップを選択する（この実施例においては、地図／地点データベースを受信するための流れを終了する）。
【００３３】
当該写真情報を閲覧するかを判断するステップにおいて、判断結果がＹＥＳであれば、写真閲覧プログラムをコールして当該写真情報を閲覧し（Ｓ４０８）、判断結果がＮＯであれば、内蔵するプログラムは次のステップを実行すること、或いはユーザーが手動で次の実行しようとするステップを選択する（この実施例においては、地図／地点データベースを受信するための流れを終了する）。
【００３４】
本発明は、携帯電話の元の機能に加え内蔵電子地図と無線通信技術を結合して、ユーザーが探した地点情報を携帯電話上に表示することができ、或いは他の携帯電話に伝送することができ、その中、当該他の携帯電話は、電子地図が内蔵されていてもいいし、内蔵されていなくてもいい。
【００３５】
本発明は、次のメリットを有する。
【００３６】
１． 電子地図及び地点情報（Ｐｏｉｎｔ  Ｏｆ  Ｉｎｔｅｒｅｓｔ；ＰＯＩ）データベースを携帯電話に内蔵することにより、何時でも探す事ができる。
【００３７】
２．地点情報の探した結果の文字部分、例えば、電話、住所等を個人電話帳に入力することができ、その後の利用に便利である。
【００３８】
３．探した結果が図面（電子地図画面）であっても、文字（地点情報内の電話番号、住所又は経緯度等）であっても、ショートメッセージサービス／マルチメディア情報サービス（ＳＭＳ／ＭＭＳ）や赤外線通信、ブルートゥース或いはワイヤレスＬＡＮ等のいずれかの携帯電話が使用する無線通信技術或いは方式により、他の携帯電話に伝送することができ、情報共用を促進することができる。
【００３９】
本発明は、上記の説明した技術により、従来の設計と異なる設計を提供して、全体の使用価値を向上でき、また、刊行物に刊行されず公開的に使用されていないため、発明特許の要件に満たし、法に従って出願する。
【００４０】
しかしながら、上記の用いられる図面や説明は、ただ、本発明の実施例であり、この技術を良く分かる熟練者であれば、上記の説明に従って色々の修正や変更が簡単にでき、それらの修正や変更が、本発明の特許範囲に含まれていることは、当たり前のことである。
【図面の簡単な説明】
【００４１】
【図１】本発明の移動通信装置の内部構成図である。
【図２】本発明を応用する移動通信装置の概念図である。
【図３】本発明の応用方法の流れ図である。
【図４】本発明の電話帳の応用方法の流れ図である。
【図５】本発明における地図／地点データベースを内蔵する移動通信装置に応用して地図／地点データベースを受信する方法の流れ図である。
【図６】本発明において地図／地点データベースを内蔵しない移動通信装置に応用して地図／地点データベースを受信する方法の流れ図である。
【符号の説明】
【００４２】
１０・・・地図／地点データベース
１２・・・地図／地点データ検索エンジンユニット
１４・・・マンマシンデータ処理インターフェースユニット
１６・・・無線伝送インターフェースユニット
２０・・・ダイヤルアップユニット
２２・・・移動通信装置
１４０・・・地図表示インターフェースユニット
１４２・・・地点情報サーチインターフェース
１４４・・・電話帳インターフェース
【図１】
2006186996.tif 000003
【図２】
2006186996.tif 000004
【図３】
2006186996.tif 000005
【図４】
2006186996.tif 000006
【図５】
2006186996.tif 000007
【図６】
2006186996.tif 000008